(57)【要約】【課題】  薄く腰の弱いカット紙を高速で積み重ねる運転状況でも、仮積みフォーク前進時にカット紙を押し出すトラブルが起こらないようにする。【解決手段】  瓦積み状態で搬送されてくるカット紙１５を、昇降可能なパレット３３上に積み重ねるようにし、グリッパ機構４０で一部のカット紙の後端部を掴み支え、仮積みフォーク５０の挿入でスタック部１６に入ってくるカット紙を一時的に受け止める印刷機用シータのデリバリ装置である。グリッパ（上爪４１と下爪４２）よりも外側方に旋回方式で出没自在のグリッパサポート７１と、駆動装置（エアシリンダ７３）と、その駆動力をグリッパサポートに伝達するリンク機構７２からなるグリッパサポート機構７０を、グリッパと仮積みフォークとの上下方向の間で且つグリッパの左右に設置する。【選択図】  図５
2005324907.tif 000002
【特許請求の範囲】
【請求項１】
瓦積み状態で低速搬送手段により連続的に搬送されてくるカット紙を、スタック部の昇降可能なパレット上に積み重ねるようにし、該スタック部に対して入抜可能な仮積みフォークでカット紙を一時的に受け止めることで、パレット上に積み重ねられているカット紙の取り出し作業を可能とし、低速搬送手段と仮積みフォークとの間のスタック部に面した位置に、スタック部に対して進退可能で且つ揃えられつつある一部のカット紙の後端部を掴み離し可能なグリッパ機構を設置し、仮積みフォークの挿入動作に先立ってグリッパが前進してカット紙後端部の掴み支え動作が行われる構造の印刷機用シータのデリバリ装置において、
スタック部に対してグリッパより外側方に旋回方式で出没自在のグリッパサポートと、駆動装置と、該駆動装置の駆動力をグリッパサポートに伝達するリンク機構からなるグリッパサポート機構を、グリッパと仮積みフォークとの間に設置し、グリッパの前進掴み動作後にグリッパサポートが突出してグリッパで掴んだカット紙後端部を支え、その状態で仮積みフォークが前進するようにしたことを特徴とする印刷機用シータのデリバリ装置。
【請求項２】
グリッパサポート機構は、中央に位置するグリッパの両側に対称的に設置され、駆動装置はカット紙の流れ方向と平行に設置されるエアシリンダからなり、グリッパサポートは旋回して先端側がスタック部に突出するように基端寄りの位置で枢支され、エアシリンダとグリッパサポートを繋ぐリンク機構は揺動リンクプレートとリンクロッドの組み合わせを有し、エアシリンダのカット紙の流れ方向と平行方向の往復動をほぼ直交する紙幅方向の往復動に変換して、グリッパサポートの基端部に駆動力を付与するようにした請求項１記載の印刷機用シータのデリバリ装置。
【請求項３】
グリッパサポートは、先端側が外向きに曲がったほぼＬ型をなし、先端は先薄状で且つ先端部がループ状をなしている請求項２記載の印刷機用シータのデリバリ装置。
【発明の詳細な説明】
【技術分野】
【０００１】
本発明は、印刷機用シータにおいてカット紙の連続排出動作を行うためのデリバリ装置に関し、更に詳しく述べると、グリッパ機構でカット紙後端部を掴んで支える際に、グリッパの左右に大きく広がるグリッパサポートを設けることにより、紙質や紙厚、運転状況などにかかわらず仮積みフォークの挿入動作が円滑に行われるようにして、損紙が生じないように工夫した印刷機用シータのデリバリ装置に関するものである。
【背景技術】
【０００２】
印刷機用シータは、高速で供給されてくるウエブを取り込み、取り込んだウエブを所定寸法の枚葉に裁断し、裁断したカット紙を、前のカット紙の上に次のカット紙が積み重なる所謂「瓦積み」状態で低速搬送して、所定の位置（スタック部）に積み重ねる装置である。通常、輪転印刷機の下流側にオンラインで設備されるが、オフラインで設置されることもある。
【０００３】
瓦積み状態で低速搬送手段により連続的に搬送されてくるカット紙は、スタック部でパレット上に積み重ねられていくが、輪転印刷機の動作を中断しないで（裁断・搬送動作を継続しながら）、所定枚数積み重ねられたカット紙（メインパイル）を取り出すための機能が付加されている。具体的には、スタック部に対して入抜可能な仮積みフォーク機構を有し、該仮積みフォークの挿入時にスタック部に入ってくるカット紙を一時的に受け止めることでカット紙の連続排出動作を可能としている。
【０００４】
従来の仮積みフォークは、１０〜１５本の丸棒又は角棒を一定間隔でカット紙の流れ方向に平行に且つ水平に配列した構造であり、低速搬送手段の下方に位置している。メインパイル（パレット上に積み上げられているカット紙）を取り出す場合、仮積みフォークをスタック部に挿入して、搬送されてくるカット紙を一時的に受け止めて積み上げておき、その間にメインパイルをパレットごと取り出し、次に新しいパレットをスタック部に設置して仮積みフォークの下面に近づけ、仮積みフォークをスタック部から引き抜くことで該仮積みフォーク上に載っているカット紙をパレット上に移す。スタック部の入口側には通常２〜４本程度の紙ガイドが立設されており、仮積みフォーク引き抜き時にカット紙は該紙ガイドで止められ、乱れずにパレット上に綺麗に残るようになっている。紙ガイドは固定されているため、スタック部への入抜動作が可能となるように、仮積みフォークはフォーク構造になっているのである。
【０００５】
ところが従来の仮積みフォーク機構では、カット紙が積み重ねられていく最中にカット紙に向かって前進する。その際、仮積みフォークを構成している十数本の丸棒（もしくは角棒）の各先端が全て揃って同じカット紙の間に挿入されることは殆ど無い。積み重ねられているカット紙は完全に水平ではなく、幅方向に不規則にカールしていることも、その要因の一つである。従って、仮積みフォークは、少なくとも十数枚、多ければ数十枚のカット紙を押し出す形で挿入され、そのために押し出されたカット紙は皺くちゃになってしまい損紙となる。
【０００６】
このような事態はメインパイル取り出し作業の度に繰り返されるので、損紙発生量は非常に多くなり、コスト高、効率低下をもたらす。特に、高速運転になるほど、積み上げられつつあるカット紙を乱さずに損紙を抜き取る作業は難しくなり、更に損紙の発生量は大きくなる。そのため作業者には非常に高度な熟練が要求され、これが印刷機用シータの一つの大きな問題となっている。
【０００７】
このような問題を解決できる手法として、本発明者は先に、低速搬送手段とその下方に位置する仮積みフォークとの間のスタック部に面した位置に、スタック部に対して進退可能で且つ揃えられつつある一部のカット紙の後端部を掴み離し可能なグリッパ機構を設ける構造を開発した（特許文献１参照）。ここでは、仮積みフォークの挿入動作に先立ってグリッパが前進しカット紙後端部の掴み支え動作が行われ、仮積みフォークの挿入動作の完了後にグリッパがカット紙後端部を離して後退するように動作する。
【０００８】
これによって、原理的には、高速運転中であっても、仮積みフォーク前進時における損紙発生を無くし、未熟練作業者でも効率よくメインパイル取り出し作業が行えるようになる。ところで最近、経済性などの観点から、薄い紙が用いられることが多くなっている。比較的厚いカット紙の場合にはトラブルは殆ど生じないが、特に薄く腰の弱いカット紙が高速で積み重ねられる運転状況では、グリッパで掴んで仮積みフォークを前進してもカット紙を押し出すトラブルが起こる現象が稀にではあるが生じた。薄紙化傾向が更に増す今後においては、これは長時間高速運転のために避けて通れない大きな技術的課題である。
【特許文献１】特開２００３−３４１９１０公報
【発明の開示】
【発明が解決しようとする課題】
【０００９】
本発明が解決しようとする課題は、従来技術では、特に薄く腰の弱いカット紙が高速で積み重ねられる運転状況では、仮積みフォーク前進時にカット紙を押し出すトラブルが起こりうる点、そのため長時間高速運転が妨げられる点などである。
【課題を解決するための手段】
【００１０】
本発明は、瓦積み状態で低速搬送手段により連続的に搬送されてくるカット紙を、スタック部の昇降可能なパレット上に積み重ねるようにし、該スタック部に対して入抜可能な仮積みフォークでカット紙を一時的に受け止めることで、パレット上に積み重ねられているカット紙の取り出し作業を可能とし、低速搬送手段と仮積みフォークとの間のスタック部に面した位置に、スタック部に対して進退可能で且つ揃えられつつある一部のカット紙の後端部を掴み離し可能なグリッパ機構を設置し、仮積みフォークの挿入動作に先立ってグリッパが前進してカット紙後端部の掴み支え動作が行われる構造の印刷機用シータのデリバリ装置において、スタック部に対してグリッパより外側方に旋回方式で出没自在のグリッパサポートと、駆動装置と、該駆動装置の駆動力をグリッパサポートに伝達するリンク機構からなるグリッパサポート機構を、グリッパと仮積みフォークとの間に設置し、グリッパの前進掴み動作後にグリッパサポートが突出してグリッパで掴んだカット紙後端部を支え、その状態で仮積みフォークが前進するようにしたことを特徴とする印刷機用シータのデリバリ装置である。
【００１１】
典型的には、グリッパサポート機構は、中央に位置するグリッパの両側に対称的に設置され、駆動装置はカット紙の流れ方向と平行に設置されるエアシリンダからなり、グリッパサポートは旋回して先端側がスタック部に突出するように基端寄りの位置で枢支され、エアシリンダとグリッパサポートを繋ぐリンク機構は揺動リンクプレートとリンクロッドの組み合わせを有し、エアシリンダのカット紙の流れ方向と平行方向の往復動をほぼ直交する紙幅方向の往復動に変換して、グリッパサポートの基端部に駆動力を付与するように構成する。ここでグリッパサポートは、先端側が外向きに曲がったほぼＬ型をなし、先端は先薄状で且つ先端部がループ状をなしている構造が好ましい。
【発明の効果】
【００１２】
本発明の印刷機用シータのデリバリ装置は、グリッパ機構でカット紙後端部を掴んで支える際に、グリッパの外側方で突出してカット紙を支えるグリッパサポートが設けられているので、たとえ薄く腰の弱いカット紙であっても、カット紙の後端部を広い幅にわたって支えることができ、グリッパ及びグリッパサポートの下部で左右に大きく広がった空間ができるので、紙質や紙厚、運転状況に関係なく、仮積みフォークをその空間にスムーズに挿入することができる。そのため損紙の発生をほぼ完全に無くすことができ、損紙の処理作業も必要ないため、作業効率が向上し、容易に長時間高速連続運転が可能となる。
【発明を実施するための最良の形態】
【００１３】
本発明は、瓦積み状態で低速搬送手段により連続的に搬送されてくるカット紙を、スタック部の昇降可能なパレット上に積み重ねるようにし、該スタック部に対して入抜可能な仮積みフォークを挿入した時に、スタック部に入ってくるカット紙を仮積みフォークで一時的に受け止めることで、パレット上に積み重ねられているカット紙の取り出し作業を可能とし、低速搬送手段とその下方に位置する仮積みフォークとの間のスタック部に面した位置に、スタック部に対して進退可能で且つ揃えられつつある一部のカット紙の後端部を掴み離し可能なグリッパ機構が設置され、仮積みフォークの挿入動作に先立ってグリッパが前進しカット紙後端部の掴み支え動作が行われ、仮積みフォークの挿入動作の完了後にグリッパがカット紙後端部を離して後退する構造の印刷機用シータのデリバリ装置を前提としている。
【００１４】
このような従来のデリバリ装置において、紙質や紙厚などによって、特に薄く腰の弱いカット紙を取り扱う場合に、グリッパでカット紙後端部を掴んで保持しているにもかかわらず仮積みフォーク前進時にカット紙を押し出すトラブルが起こる原因は、掴まれているカット紙がグリッパの左右で急激に垂れ下がるように変形することがあり、それによって仮積みフォークの挿入が妨げられるためであることが確認できた。そこで、グリッパの幅を広げてカット紙を掴むようにすることが考えられるが、幅を拡げ過ぎるとグリッパでカット紙をスムーズに掴むことが難しく、逆にグリッパによって紙を傷める恐れが生じる。
【００１５】
本発明では、スタック部に対してグリッパよりも外側方に旋回方式で出没自在のグリッパサポートと、駆動装置と、該駆動装置の駆動力をグリッパサポートに伝達するリンク機構からなるグリッパサポート機構を、グリッパと仮積みフォークとの間に設置しており、その点に特徴がある。これによって、グリッパの前進掴み動作後にグリッパサポートが突出してグリッパで掴んだカット紙の後端部を支え、その状態で仮積みフォークが前進するように構成されている。このようにすると、グリッパの幅が小さくても、大きく広がったグリッパサポートによってカット紙の端部を大部分にわたって支えることが可能となり、それらの下方に空間ができるために仮積みフォークをスムーズに挿入することができる。
【００１６】
グリッパサポート機構は、典型的には、中央に位置するグリッパの両側に対称的に設置される。駆動装置はカット紙の流れ方向と平行に設置されるエアシリンダであり、グリッパサポートは旋回して先端側がスタック部に突出するように基端寄りの位置で枢支され、エアシリンダとグリッパサポートを繋ぐリンク機構は揺動リンクプレートとリンクロッドの組み合わせを有し、エアシリンダのカット紙の流れ方向と平行方向の往復動をほぼ直交する紙幅方向の往復動に変換して、グリッパサポートの基端部に駆動力を付与するように構成する。このようにすると、大きなエアシリンダを装置の側部に配置でき、グリッパと仮積みフォークとの間の狭い空間でもグリッパサポート及びリンク機構を薄型化して組み込むことが可能となる。
【００１７】
ここでグリッパサポートは、先端側が外向きに曲がったほぼＬ型をなし、先端は先薄状で且つ先端部がループ状をなしている構造とする。Ｌ型とすることで幅方向に大きく広げることができる。また先薄状とすることで旋回して突出する時にカット紙と干渉するのを防止でき、ループ状とすることでカット紙との接触面積を小さくして摩擦力を低減でき、それらによってズムーズな突出・没入動作が可能となり、しかもカット紙後端部をその幅方向の大部分で保持することができる。
【実施例】
【００１８】
まず印刷機用シータ全体及びそのデリバリ装置について概略説明する。図１に印刷機用シータの一例の全体構成を示し、図２に本発明に係るデリバリ装置の一実施例の概略構成を示す。印刷機用シータは、輪転印刷機から高速で排出されるウエブを取り込むインフィード部１０と、取り込んだウエブ１１を所定寸法の枚葉に裁断するカット部１２と、該カット部１２の下流側に設けた高速搬送手段１３と、カット紙を瓦積み状態で搬送する低速搬送手段１４と、カット紙１５を積み重ねるスタック部１６を具備し、全体が筐体１７で覆われている。スタック部１６とその周辺に位置する各種の付属機構を含めてデリバリ装置が構成される。
【００１９】
インフィード部１０は、複数のフリーローラ、ドローローラ、ニップローラなどからなるウエブ取り込み機構と各種センサ等を有し、輪転印刷機から高速で排出されるウエブ１１を適切にカット部１２に送り込む部分である。カット部１２は、下側の固定刃１８と上側のカッタシリンダに装着された回転刃１９を有し、輪転印刷機と同速で回転することでウエブ１１を所定寸法の枚葉に裁断する部分である。高速搬送手段１３は、第１エアブロー２０、上第１バキュームドラム２１ａ、上第２バキュームドラム２１ｂなどを具備し、ウエブ１１を緊張状態で搬送することでカット部１２での裁断精度を向上させると共に、裁断後のカット紙後端部を同期回転するスナッパ２２で低速搬送手段１４側に押し付ける部分である。
【００２０】
低速搬送手段１４は、前方のプーリ２３，２４と後方のバキュームドラム２５の間にバキュームベルト２６を掛け渡し、該バキュームベルト２６の内側上部にバキュームボックス２７を設置すると共に、上方に第２エアブロー２８を設置した構造である。図３はスタック部と低速搬送手段の平面図である。以上の手段によって、カット紙の速度はウエブライン速度の１／１０〜１／２０程度に減速される。スナッパ２２で押し付けられたカット紙が互いに一部オーバラップした瓦積み状態となり、カット紙後端側の４０ｍｍ程度がバキュームベルト２６に吸着されつつ、カット紙先端部上面を第２エアブロー２８によるコアンダ効果で引かれて、次のスタック部１６へと順次搬送される。
【００２１】
スタック部１６は、図２に示すように、入口部に立設された２本の棒状の紙ガイド３０と、出口部で各紙ガイド３０にそれぞれ対向して位置する２個の出口ジョガー３１と、カット紙の流れ方向の左右に位置する一対の幅可変方式のサイドジョガー３２（図３参照）を具備し、それらによってスタック部１６に入ってくるカット紙が揃えられ、下部に位置するパレット３３上に積み重ねられる。パレット３３は、スタック部１６の底部に位置するメインパイル昇降プレート３４上に設置され、該メインパイル昇降プレート３４は、４本のチェーン３５で吊られており、各チェーン３５はスプロケット３６を介して他端にバランスウエイト３７が接続され、スプロケット３６はメインパイル昇降モータ３８で駆動される。これによって、パレット３３上にカット紙１５を載せ、その上面レベルをほぼ一定に保ちつつ自動降下できるようになっている。このようなスタック部１６に近接して、仮積みフォーク機構の他、グリッパ機構４０、及びグリッパサポート機構７０などが付設されてメインパイルの取り出し作業を可能としたデリバリ装置が構成される。
【００２２】
低速搬送手段のバキュームボックス２７の下方のスタック部１６に面したほぼ中央位置に、スタック部１６に対して進退可能で且つ揃えられつつある一部のカット紙１５の後端中央部を掴み離し可能なグリッパ機構４０が設けられる。図４に詳細に図示されているように、グリッパ機構４０は、上爪４１と下爪４２がリンク機構４３で結合され、エアシリンダ４４によって下爪４２が上下動可能であり、且つ上爪４１と下爪４２を取り付けたブラケット４５がスライドシリンダ４６の可動部に結合されて全体が２０〜３０ｍｍ程度スタック部方向に前進できるように水平動（前後動）可能となっている。上爪４１と下爪４２との組み合わせからなるグリッパは、積み重ねられつつあるカット紙に挿入し易いように、先端が平面的に見て丸みもしくは左右に角度を付け且つ先薄状とする。ここでは上爪４１の上面及び下爪４２の下面にテーパを付けて先薄状としている。なお、上爪４１と下爪４２の幅は同じであってよく（異なっていてもよい）、本発明ではグリッパサポート機構が設置されているために、それら爪幅は狭くてよい（例えば７０ｍｍ程度）。爪幅が狭い方が、カット紙の後端部を破損することなく確実にに掴むことができ好ましい。このようにグリッパ機構４０は、カット紙後端部を中央で一時的に掴み支えする機能を果たす。
【００２３】
仮積みフォーク５０は、前記グリッパ機構４０より更に下方に位置し、図３に示すように、紙ガイド３０の幅よりも若干広い間隔をあけて並設した３枚の先薄状プレート（中央プレート５１と両側の側部プレート５２）を、それらの後端でフォークベース５３で連結して一体化した構造である。プレート同士の隙間によって、２本の棒状の紙ガイド３０を避けてスタック部１６に対して挿入可能となっている。フォークベース５３は、フォーク昇降ベッド５４上のレール５５に直動ガイド５６を介して搭載されており（図２参照）、複数のプーリ５７と水平動タイミングベルト５８及びフォーク水平動モータ５９によって仮積みフォーク５０がスタック部１６に対して入抜可能となっている。そのため、仮積みフォーク５０の長さは、スタック部への挿入時に仮積みフォーク先端が出口ジョガー３１近傍に達し、スタック部からの引き抜き時にはフォーク先端がスタック部から抜け出るように、カット紙の長さ以上とする。また、フォーク昇降ベッド５４は、昇降チェーン６０及びフォーク昇降モータ６１等によって昇降可能に構成されている。
【００２４】
仮積みフォーク５０の中央プレート５１の先端縁は平面形状が山型で、側部プレート５２の先端縁はそれに対して若干後退し且つ側方が更に後退して、３枚のプレート全体としても平面形状が山型をなしている。仮積みフォーク５０を少数枚のプレートで構成することにより、カット紙がフォーク構成要素の間（プレート隙間）に入り込み難くなる。
【００２５】
本発明では、グリッパ機構４０と仮積みフォーク５０との間に、新たにグリッパサポート機構７０を設置している。図５〜図７にグリッパサポート機構の一例を示す。図５は平面図、図６は正面図（カット紙流れ方向を見た図）、図７は側面図である。
【００２６】
グリッパサポート機構７０は、スタック部１６に対してグリッパ（上爪４１及び下爪４２）よりも外側方に旋回方式で出没自在のグリッパサポート７１と、駆動装置と、該駆動装置の駆動力をグリッパサポートに伝達するリンク機構７２からなり、グリッパの両側に対称的に設けられている。駆動装置はエアシリンダ７３であり、カット紙の流れ方向と平行な取付部材７４に位置決め固定される。グリッパサポート７１は先端側が外向きに曲がったほぼＬ型板状をなし、旋回して先端側がスタック部に突出するように基端寄りの位置で回動軸７１ａにより枢支される。エアシリンダ７３のピストン先端とグリッパサポート７１の基端部との間はリンク機構７２で連結され、エアシリンダ７３によるカット紙流れ方向と平行方向の往復動を、ほぼ直交する紙幅方向の往復動に変換して、グリッパサポート７１の基端部に駆動力を付与するように構成する。
【００２７】
このリンク機構７２は、エアシリンダ７３のピストン先端に結合している連結ロッド７６と、三角形状の揺動リンクプレート７７と、リンクロッド７８の組み合わせであり、該リンクロッド７８がグリッパサポート７１に結合する。揺動リンクプレート７７の回動軸７７ａとグリッパサポート７１の回動軸７１ａは、同じ保持プレート７９で保持される。この例では、グリッパサポート７１は、先端は先薄状で（図６及び図７参照）且つ先端部７１ｂがループ状をなしている。
【００２８】
ところで図５においては、グリッパサポート７１がスタック部よりも引き込まれている状態（カット紙の後端縁よりも後方の待機状態）を太実線で表し、グリッパサポートが突出している状態（カット紙の後端縁よりも前方のサポート状態）を細点線で表している。太実線で示す待機状態から、エアシリンダ７３が動作してピストンが押し出される（矢印ｐ）と、揺動リンクプレート７７が回動し（矢印ｑ）、リンクロッド７８がカット紙幅方向内向きに移動し（矢印ｒ）、グリッパサポート７１を旋回させる（矢印ｓ）。これによって、グリッパサポート７１の先端部７１ｂは、カット紙の後端部で大きく外側に広がった状態になる。逆に、エアシリンダが動作してピストンが押し込まれると、揺動リンクプレートが逆方向に回動し、リンクロッドがカット紙幅方向外向きに移動し、グリッパサポートを逆向きに旋回させる。これによって、グリッパサポートの先端部は、カット紙の後端部よりも後方に引き込まれた状態になる。
【００２９】
このようなグリッパサポート機構は、グリッパの前進掴み動作後で仮積みフォーク前進前に、グリッパサポート７１が大きく広がるように突出してグリッパで掴んだカット紙の後端をグリッパの両側で支えるように動作する。グリッパサポートの引き込み動作は、通常、グリッパの離し後退動作に先だって行われる。なお、グリッパサポート７１の引き込み位置は、エアシリンダ７３のピストンに結合されている連結ロッド７６を係止するストッパ８０によって規制される。
【００３０】
次に、本デリバリ装置の一連の動作について、順を追って説明する。
【００３１】
スナッパ２２で低速搬送手段１４上に瓦積みされたカット紙は、その後端部下面でバキュームベルト２６を介してバキュームボックス２７に吸引されつつ、先端部上面を第２エアブロー２８によるコアンダ効果で前方に引かれて進む。第２エアブロー２８よりも前方では、カット紙は徐々に降下し、出口ジョガー３１に突き当たる。カット紙の後端は、スタック部入口に面しているバキュームボックス２７の先端のプーリ２３を回りきって、全体としてパレット３３に向かって下降を始める。その際、出口ジョガー３１と紙ガイド３０及び両方のサイドジョガー３２によって、前後方向並びに横方向の紙揃えが行われる。この時、バキュームボックス２７の先端に配置され、スタック部方向に水平に向けられているエアーノズルから空気が吹き出され、その空気がカット紙とカット紙の間に入り、密着を防止しつつ紙揃えが容易に行われるようにする。
【００３２】
パレット３３上に移ったカット紙は、上面レベルがほぼ一定に保たれるようにメインパイル昇降モータ３８によって高さ制御され、カット紙の積み重ねが進むにつれて、メインパイル昇降プレート３４は徐々に降下していく。この間、サイドジョガー３２のスタック部入口側に設置されているテープインサータ９０により、５００枚あるいは１０００枚など、所定のカット紙枚数毎にテープを送り出してカット紙間に挿入すると、それが出来高管理の目安となる。部数のカウントは、シータ駆動部に設けられた回転検出センサ（図示せず）からの信号により行う。カット紙の積み重ねが更に進んでメインパイル昇降プレート３４が床面に対して１００ｍｍ程度の高さに近づいたところでグリッパ駆動スイッチをオンする。
【００３３】
すると、バキュームボックス底部に位置するグリッパ機構４０のスライドシリンダ４６によってブラケット４５がスタック部に向かって前進する。上爪４１と下爪４２が一緒に前進し、スタック部入口側からカット紙１５の間に入る。次に、ブラケット４５の一端に軸支されているエアシリンダ４４が作動（伸長）し、リンク機構４３を介して下爪４２が上昇し、カット紙（数枚乃至数十枚）の後端部を掴み支える。引き続いて、メインパイル昇降モータ３８が動作し、予め設定された量（約５０ｍｍ）だけ降下する。これによりグリッパ機構４０の下爪４２の下方に空間が生じる。
【００３４】
次に、その状態で、グリッパサポート機構７０のエアシリンダ７３が作動（伸長）し、リンク機構７２を介して両方のグリッパサポート７１を旋回して中央から側方に向かって大きく広げる。これらのグリッパサポート７１は、グリッパ機構４０の下爪４２の下方の空間から入り込み、垂れ下がっているカット紙を下方から支える。グリッパサポート７１はＬ型であるので幅方向に大きく広がる。また先薄状であるので旋回して突出する時にカット紙と干渉することがなく、ループ状としたことでカット紙との接触面積が低減し摩擦力を小さくできる。それらによってズムーズな突出拡開動作が可能となり、カット紙後端部をその幅方向の大部分で支えることができる。これによって、グリッパサポート７１の下方には幅方向に広がった空間ができる。
【００３５】
その後、仮積みフォーク５０が前記の幅方向に広がった空間に向かって前進し挿入される。フォーク水平動モータ５９によって、プーリ５７、タイミングベルト５８、レール５５、直動ガイド５６を介して『高速』で前進し、先端が出口ジョガー３１の約５０ｍｍ手前まで進み、減速センサ（図示せず）に近接すると『低速』に切り替わって更に前進し、次いで停止センサ（図示せず）に達することで正確な位置に停止する。この時、上方のカット紙はグリッパ機構４０の上爪４１と下爪４２で掴み支えられているのでずれることはない。また下方のカット紙は出口ジョガー３１によって規制されているのでずれることもない。このように仮積みフォーク５０は、グリッパ（上爪４１と下爪４２）及びグリッパサポート７１で支えられている上方のカット紙とパレット３３に積み重なっている下方のカット紙との隙間（入口側に設けられた５０ｍｍ程度の隙間）に侵入するため、仮積みフォーク５０が前進してもカット紙は乱されない。勿論、カット紙を押し出すことはない。
【００３６】
仮積みフォーク５０が前進し所定の停止位置に停止すると、グリッパサポート機構７０のエアシリンダ７３が作動（収縮）してピストンが元の位置に戻り、グリッパサポート７１は逆方向に旋回してスタック部よりも後方に引き込まれる。次にグリッパ機構４０のエアシリンダ４４が戻って（収縮して）下爪４２が下方に下がりグリッパが開き、カット紙の後端部を離す。そしてグリッパ機構４０のスライドシリンダ４６が自動的に停止位置に戻る。上爪４１と下爪４２が共にカット紙後端部から離れて、グリッパに掴まれていたカット紙は仮積みフォーク５０上に降りる。その間も、低速搬送されてくるカット紙は、積み重なっていく。
【００３７】
その後、仮積みフォーク５０のカット紙の上面レベルはレベルセンサ（図示せず）により検出される。そして、仮積みフォーク５０は、フォーク昇降モータ６１によって、スプロケット、昇降チェーン６０、レールガイド等を介して駆動され、カット紙上面レベルが常に一定範囲内に保たれるように自動降下する。
【００３８】
この間に、メインパイル昇降モータ３８により、メインパイル昇降プレート３４を降下させ、積み重ねられているカット紙（メインパイル）をパレット３３と共に外部に引き出す。次にメインパイル昇降プレート３４上に新しいパレットを、紙ガイドに接するように所定の位置に置く。仮積みフォーク５０上にカット紙が積まれて自動降下を繰り返し、仮積みフォーク５０の上面が出口ジョガー３１の下面よりも十分下方に（約５０ｍｍ下方に）位置したときに、パレット３３を載せたメインパイル昇降プレート３４の上昇スイッチをオンし、パレット３３の上面を仮積みフォーク５０の下面に対して約１０ｍｍ近くまで寄せて停止する。
【００３９】
仮積みフォーク５０上に更にカット紙が積まれて仮積みフォーク下面がパレット上面に接触する間際まで自動降下したところで、仮積みフォーク後退スイッチをオンする。仮積みフォーク５０は『高速』で後退し、最終後退位置の約５０ｍｍ手前で減速センサ（図示せず）により『低速』に移行し、次に停止センサ（図示せず）により所定の位置まで後退して停止する。仮積みフォーク５０が後退する際、カット紙はスタック部入口にあって常にカット紙後端に接している紙ガイド３０に遮られるために、仮積みフォーク５０によって引き込まれることなくパレット３３上に残る。その後、仮積みフォーク５０は自動的に上昇し、本来の待機位置で自動停止する。
【００４０】
この状態で、カット紙はパレット３３上に積まれていく。スタック部上部のカット紙の上面レベルを一定位置に保ちつつ、パレット３３（メインパイル昇降プレート３４）は自動降下を続ける。以下、このような操作を繰り返すことで、印刷機用シータをノンストップ運転（カット紙連続排出動作）することができる。但し、輪転印刷機を緩動より運転開始していく際は、スタック部に仮積みフォークを前進させてカット紙を受け取る状態から行うのがよい。その理由は、仮積みフォーク上面の最高レベルのほうがパレット上面の最高レベルよりも高く、低速搬送手段とのレベル差が小さいため、運転初期にカット紙が揃い易いからである。
【００４１】
上記の一連の動作は、各種センサからの信号を利用して全自動で運転することも可能であるし、一部の動作を手動で行ってもよい。自動的に行わせる動作についても、テスト的にあるいは必要に応じて手動操作可能とするのがよい。
【００４２】
以上、本発明の好ましい一実施例について詳述したが、本発明はかかる構成に限られるものではない。前提となる印刷機用シータの具体的構成（例えばインフィード部、カット部、高速搬送手段、低速搬送手段など）は任意であってよい。グリッパ機構、グリッパサポート機構、及び仮積みフォークの形状や駆動機構などは適宜変更できる。例えば上記の実施例では、グリッパサポートをＬ型としているが、Ｌ型でなくてもよいし、先端部も必ずしもループ状にしなくてもよい。
【図面の簡単な説明】
【００４３】
【図１】印刷機用シータの一例の全体概略構成を示す説明図。
【図２】本発明に係るデリバリ装置の一実施例の概略構成図。
【図３】スタック部と低速搬送手段の平面図。
【図４】グリッパ機構の説明図。
【図５】グリッパサポート機構の平面図。
【図６】グリッパサポート機構の正面図。
【図７】グリッパサポート機構の側面図。
【符号の説明】
【００４４】
１０  インフィード部
１１  ウエブ
１２  カット部
１３  高速搬送手段
１４  低速搬送手段
１５  カット紙
１６  スタック部
３０  紙ガイド
３１  出口ジョガー
３２  サイドジョガー
３３  パレット
４０  グリッパ機構
４１  上爪
４２  下爪
５０  仮積みフォーク
５１  中央プレート
５２  側部プレート
７０  グリッパサポート機構
７１  グリッパサポート
７２  リンク機構
７３  エアシリンダ
７７  揺動リンクプレート
７８  リンクロッド
【図１】
2005324907.tif 000003
【図２】
2005324907.tif 000004
【図３】
2005324907.tif 000005
【図４】
2005324907.tif 000006
【図５】
2005324907.tif 000007
【図６】
2005324907.tif 000008
【図７】
2005324907.tif 000009